(57)【要約】【課題】タイバンドの頭部に差し込まれた帯部の先端部であって同頭部から突出した部分を所定長さの切り代を残して切除したとき、その切り代の部分が作業者や他の部品と接触することを抑制できるワイヤハーネスのプロテクタを提供する。【解決手段】プロテクタ２はワイヤハーネス１に沿った状態となる壁部４を備える。壁部４にはタイバンド３を固定するためのタイバンド固定部５が設けられる。タイバンド固定部５の凹所６にタイバンド３の頭部３ａを位置決めし、その頭部３ａから延びる帯部３ｂを壁部４及びワイヤハーネス１の周囲に巻き付け、同帯部３ｂを頭部３ａの係合孔８に差し込んで同頭部３ａから抜き出せないよう係合する。帯部３ｂの先端部は所定長さの切り代を残して切除される。タイバンド固定部５における凹所６の隣には、弾性を有する脚部９が、凹所６側に向けて、かつ、その凹所６よりも壁部４から離れる方向に突出するよう設けられる。【選択図】図１
2020028157.tif 000002
【特許請求の範囲】
【請求項１】
ワイヤハーネスが接する壁部にタイバンドの頭部を位置決めする位置決め部が設けられており、前記タイバンドの頭部を前記位置決め部により位置決めした状態のもと、前記タイバンドの頭部から延びる帯部が前記壁部及び前記ワイヤハーネスの周囲に巻き付けられるとともに、その帯部を前記頭部に差し込んで同頭部から抜き出せないよう係合することにより、前記壁部に対し前記ワイヤハーネスが固定されるワイヤハーネスのプロテクタにおいて、
前記壁部における前記位置決め部の隣には、弾性を有する脚部が、前記位置決め部側に向けて、かつ、その位置決め部よりも前記壁部から離れる方向に突出するよう設けられていることを特徴とするワイヤハーネスのプロテクタ。
【請求項２】
前記脚部は、前記位置決め部に対する接近離間方向について、同位置決め部に対応する位置まで弾性変形することが可能とされている請求項１に記載のワイヤハーネスのプロテクタ。
【請求項３】
前記脚部は、弾性変形していないとき、前記位置決め部によって位置決めされた前記タイバンドの頭部から突出する帯部の先端部よりも、前記位置決め部から離れる方向に位置するものとされている請求項１又は２に記載のワイヤハーネスのプロテクタ。
【請求項４】
前記脚部は、前記ワイヤハーネスが延びる方向における前記位置決め部の両隣にそれぞれ設けられている請求項１〜３のいずれか一項に記載のワイヤハーネスのプロテクタ。
【請求項５】
前記ワイヤハーネスが延びる方向における前記位置決め部の両隣にそれぞれ設けられている前記脚部は、前記ワイヤハーネスの周方向について互いに位置をずらした状態で前記位置決め部により位置決めされる前記タイバンドの頭部を挟む位置に突出する一方、突出方向の先端部同士が同ワイヤハーネスの延びる方向においてオーバーラップしている請求項４に記載のワイヤハーネスのプロテクタ。
【発明の詳細な説明】
【技術分野】
【０００１】
本発明は、ワイヤハーネスのプロテクタに関する。
【背景技術】
【０００２】
車両等においては、ワイヤハーネスをタイバンドによって固定することが可能なプロテクタが設けられており、そのプロテクタによってワイヤハーネスを車両の所定の位置に沿わせたり周辺の部品等から保護したりしている。こうしたプロテクタは、例えば特許文献１に示されるように、ワイヤハーネスが接触しつつ沿った状態となる断面略Ｌ字状の壁部と、その壁部に設けられてタイバンドの頭部を位置決めする位置決め部と、を備えている。
【０００３】
上記プロテクタにおいては、タイバンドの頭部を上記壁部の位置決め部に位置決めした状態のもと、同タイバンドの頭部から延びる帯部が上記壁部及び上記ワイヤハーネスの周囲に巻き付けられる。更に、タイバンドの帯部を頭部に差し込み、その差し込んだ帯部の先端部を引っ張ることにより、同帯部でワイヤハーネスを壁部に対し締め付けるとともに、その帯部をタイバンドの頭部に対し差し込み方向と逆の方向に抜き出せないよう係合する。これにより、ワイヤハーネスがプロテクタの壁部に対し固定される。
【０００４】
ところで、ワイヤハーネスの太さは様々であるため、そのワイヤハーネスをプロテクタの壁部に固定するためのタイバンドにおいては、頭部から延びる帯部の長さを長めに設定するようにしている。このため、上記タイバンドを用いてワイヤハーネスをプロテクタの壁部に固定すべく、タイバンドの帯部が同タイバンドの頭部に差し込まれたとき、その帯部の差し込み方向の先端部が上記頭部から大きく突出しやすくなる。
【０００５】
従って、帯部の先端部であって頭部から突出した部分については、バンドカッタ等の工具により所定長さの切り代を残して切除するようにしている。ちなみに、このように帯部の先端部に所定長さの切り代を残していないと、頭部と係合している帯部に対し同頭部からの抜き出し方向の力が作用することによって上記頭部に対し上記帯部が抜き出し方向にずれたとき、それら頭部と帯部との係合が弱まって同帯部が頭部に対し抜き出されるおそれがある。
【先行技術文献】
【特許文献】
【０００６】
【特許文献１】特開２０１７−１６３６５４号公報
【発明の概要】
【発明が解決しようとする課題】
【０００７】
しかし、タイバンドの頭部に差し込まれた帯部の先端部であって同頭部から突出した部分に所定長さの切り代を残すと、帯部における上記切り代の部分が作業者や他の部品と接触するおそれがある。
【０００８】
本発明の目的は、タイバンドの頭部に差し込まれた帯部の先端部であって同頭部から突出した部分を所定長さの切り代を残して切除したとき、その切り代の部分が作業者や他の部品と接触することを抑制できるワイヤハーネスのプロテクタを提供することにある。
【課題を解決するための手段】
【０００９】
以下、上記課題を解決するための手段及びその作用効果について記載する。
上記課題を解決するワイヤハーネスのプロテクタは、ワイヤハーネスが接する壁部にタイバンドの頭部を位置決めする位置決め部が設けられている。そして、タイバンドの頭部を上記位置決め部により位置決めした状態のもと、タイバンドの頭部から延びる帯部が上記壁部及び上記ワイヤハーネスの周囲に巻き付けられるとともに、その帯部を頭部に差し込んで同頭部から抜き出せないよう係合することにより、上記壁部に対しワイヤハーネスが固定される。上記壁部における位置決め部の隣には、弾性を有する脚部が、位置決め部側に向けて、かつ、その位置決め部よりも上記壁部から離れる方向に突出するよう設けられている。
【００１０】
上記構成によれば、タイバンドを用いてワイヤハーネスをプロテクタの壁部に固定するため、タイバンドの帯部が同タイバンドの頭部に差し込まれたとき、その帯部の差し込み方向の先端部が上記頭部から大きく突出する。そして、タイバンドの頭部に差し込まれた帯部の先端部であって同頭部から突出した部分を、所定長さの切り代を残して切除する際には、脚部が位置決め部側に変位するよう弾性変形させられる。これにより、帯部の先端部であって頭部から突出した部分を上述したように切除する際、上記脚部が邪魔になることを抑制できる。また、帯部の先端部を上述したように切除した後、脚部が自身の弾性によって元の位置に戻ることにより、その脚部が位置決め部から離れる方向に変位するため、帯部における上記切り代の部分が上記脚部によって作業者や他の部品と接触しにくくなる。
【００１１】
上記脚部は、位置決め部に対する接近離間方向について、上記位置決め部に対応する位置まで弾性変形することが可能なものとすることが考えられる。
この構成によれば、バンドカッタを脚部に押し付けて同脚部を位置決め部に対応する位置に至るまで弾性変形させることにより、バンドカッタを位置決め部に位置決めされたタイバンドの頭部に当接させ、その状態で上記バンドカッタを用いて、帯部の先端部であって同頭部から突出した部分を所定長さの切り代を残して切除することができる。従って、そうした帯部の先端部の切除がバンドカッタを用いて簡単に行われるようになる。
【００１２】
上記脚部は、弾性変形していないとき、位置決め部によって位置決めされたタイバンドの頭部から突出する帯部の先端部よりも、上記位置決め部から離れる方向に位置するものとすることが考えられる。
【００１３】
この構成によれば、帯部における先端部の切除を行った後に脚部が自身の弾性によって元の位置に戻るが、このときの脚部は、位置決め部によって位置決めされたタイバンドの頭部から突出する帯部の先端部よりも、上記位置決め部から離れる方向に位置する。このため、帯部の先端部（切り代の部分）が、上記脚部によって、より一層作業者や他の部品と接触しにくくなる。
【００１４】
上記脚部は、ワイヤハーネスが延びる方向における上記位置決め部の両隣にそれぞれ設けられるものとすることが考えられる。
この構成によれば、帯部の先端部（切り代の部分）に対し作業者や他の部品が接触することは、ワイヤハーネスが延びる方向における上記位置決め部の両隣にそれぞれ設けられる脚部によって抑制される。このため、帯部の先端部（切り代の部分）に対し作業者や他の部品がより一層接触しにくくなる。
【００１５】
上記ワイヤハーネスのプロテクタにおいて、ワイヤハーネスが延びる方向における上記位置決め部の両隣にそれぞれ設けられている上記脚部は、ワイヤハーネスの周方向について互いに位置をずらした状態で上記位置決め部により位置決めされるタイバンドの頭部を挟む位置に突出する。更に、それら脚部における突出方向の先端部同士がワイヤハーネスの軸線方向においてオーバーラップしている。
【００１６】
この構成によれば、ワイヤハーネスが延びる方向における上記位置決め部の両隣にそれぞれ設けられている上記脚部において、それら脚部の先端部同士がワイヤハーネスの軸線方向においてオーバーラップしているため、帯部の先端部（切り代の部分）に対する作業者や他の部品の接触を上記脚部によって一層効果的に抑制することができる。
【発明の効果】
【００１７】
本発明によれば、タイバンドの頭部に差し込まれた帯部の先端部であって同頭部から突出した部分を所定長さの切り代を残して切除したとき、その切り代の部分が作業者や他の部品と接触することを抑制できる。
【図面の簡単な説明】
【００１８】
【図１】タイバンドによりワイヤハーネスが固定されたプロテクタを示す斜視図。
【図２】同プロテクタからタイバンドを取り外した状態を示す斜視図。
【図３】プロテクタ、ワイヤハーネス、及びタイバンドを図１の矢印Ａ−Ａ方向から見た状態を示す断面図。
【図４】タイバンドの頭部に通された帯部の先端部を切除する手順を示す平面図。
【図５】タイバンドの頭部に通された帯部の先端部を切除する手順を示す平面図。
【図６】タイバンドの頭部に通された帯部の先端部を切除する手順を示す平面図。
【図７】プロテクタの他の例を示す斜視図。
【図８】プロテクタの他の例を示す斜視図。
【発明を実施するための形態】
【００１９】
以下、ワイヤハーネスのプロテクタの一実施形態について、図１〜図６を参照して説明する。
図１〜図３に示すように、車両等においては、ワイヤハーネス１を所定の位置に沿うように配置したり周辺の部品等から保護したりするためのプロテクタ２が設けられており、そのプロテクタ２に対し上記ワイヤハーネス１がタイバンド３によって固定されている。なお、図１はワイヤハーネス１をタイバンド３でプロテクタ２に固定した状態を示しており、図２は上記プロテクタ２からタイバンド３を取り外した状態を示している。また、図３は、図１のプロテクタ２及びワイヤハーネス１を矢印Ａ−Ａ方向から見た状態を示している。
【００２０】
図１に示すように、プロテクタ２は、ワイヤハーネス１が接触して沿った状態となる断面略Ｌ字状の壁部４を備えている。この壁部４には、タイバンド３を固定するためのタイバンド固定部５が設けられている。図２に示すように、タイバンド固定部５には、タイバンド３の頭部３ａを位置決めするための位置決め部として機能する凹所６が形成されている。この凹所６は、プロテクタ２に固定されたワイヤハーネス１の延びる方向において対向する一対の内側面６ａと、それら内側面６ａに対し直交している底面６ｂと、を有している。
【００２１】
タイバンド固定部５には、凹所６の底面６ｂに繋がるよう図２の上下方向に延びる挿通孔７が形成されている。そして、タイバンド３（図１）の頭部３ａから延びる帯部３ｂを凹所６側から上記挿通孔７に通し、頭部３ａを凹所６における一対の内側面６ａ間に挿入するとともに底面６ｂに当接させる。これにより、タイバンド３の頭部３ａが、凹所６内において一対の内側面６ａ及び底面６ｂによって位置決めされる。
【００２２】
詳しくは、一対の内側面６ａによって頭部３ａがワイヤハーネス１の延びる方向について位置決めされるとともに、底面６ｂによって頭部３ａがワイヤハーネス１の周方向について位置決めされる。そして、このようにタイバンド３の頭部３ａを位置決めした状態のもと、上記挿通孔７に通されたタイバンド３の帯部３ｂが図３に示すように壁部４及びワイヤハーネス１の周囲に巻き付けられる。
【００２３】
壁部４及びワイヤハーネス１の周囲に巻き付けられた帯部３ｂの先端部は、タイバンド３の頭部３ａに形成された係合孔８に差し込まれる。そして、係合孔８に差し込まれて挿通した帯部３ｂの先端部を引っ張ることにより、同帯部３ｂでワイヤハーネス１を壁部４に対し締め付けるとともに、その帯部３ｂをタイバンド３の頭部３ａに対し差し込み方向と逆の方向に抜き出せないよう係合する。
【００２４】
ちなみに、タイバンド３の帯部３ｂには図示しない多数の山部が帯部３ｂの延びる方向に間隔をおいて形成されているとともに、タイバンド３の頭部３ａにおける係合孔８内には上記帯部３ｂの山部に対し係合可能な図示しない溝部が形成されている。そして、この溝部は、係合孔８に対する帯部３ｂの差し込み方向についての上記山部の変位を許容する一方、その変位とは逆方向の上記山部の変位については規制する。
【００２５】
こうした溝部と山部との係合、すなわち頭部３ａに対する帯部３ｂの係合により、帯部３ｂがタイバンド３の頭部３ａから抜き出せないようになってワイヤハーネス１がプロテクタ２の壁部４に対し固定される。なお、このようにワイヤハーネス１が壁部４に対し固定されたとき、タイバンド３の頭部３ａは、図１に示すように凹所６内からワイヤハーネス１と反対側に突出した状態となる。すなわち、そのようになるよう凹所６のワイヤハーネス１に対する接近離間方向についての幅が設定されている。
【００２６】
その後、タイバンド３の頭部３ａにおける係合孔８に差し込まれた帯部３ｂの先端部のうちの同頭部３ａから突出した部分については、バンドカッタ等を用いることにより所定長さの切り代を残して切除される。なお、このように帯部３ｂの先端部に所定長さの切り代を残すのは、そうしないと帯部３ｂに対し同頭部３ａからの抜き出し方向の力が作用することにより、頭部３ａに対し上記帯部３ｂが抜き出し方向にずれたとき、上記溝部と上記山部との係合が弱まって帯部３ｂが頭部３ａから抜き出されるおそれがあるためである。
【００２７】
壁部４に設けられているタイバンド固定部５の凹所６の隣、詳しくはワイヤハーネス１の延びる方向についての両隣にはそれぞれ、弾性を有する脚部９が、凹所６側に向けて、かつ、その凹所６よりも壁部４から離れる方向に突出するよう設けられている。これら脚部９は、弾性変形していないとき、凹所６によって位置決めされたタイバンド３の頭部３ａから突出する帯部３ｂの先端部よりも、壁部４から離れる方向に位置するものとされている。更に、脚部９は、凹所６に対する接近離間方向について、同凹所６に対応する位置まで弾性変形することが可能とされている。
【００２８】
次に、ワイヤハーネス１のプロテクタ２の作用について説明する。
図４に示されるように、タイバンド３を用いてワイヤハーネス１をプロテクタ２の壁部４に固定するため、タイバンド３の帯部３ｂが同タイバンド３の頭部３ａの係合孔８に差し込まれたとき、その帯部３ｂの差し込み方向の先端部が上記頭部３ａから大きく突出する。そして、タイバンド３の頭部３ａに差し込まれた帯部３ｂの先端部であって、同頭部３ａから突出した部分が、所定長さの切り代を残して切除される。
【００２９】
こうしたタイバンド３における帯部３ｂの先端部の切除は、図５に示されるバンドカッタ１０を用いて行われる。同バンドカッタ１０においては、その先端部が図５の二点鎖線で示す脚部９に押し付けられることにより、同脚部９を実線で示すように凹所６に対応する位置に至るまで変位するよう弾性変形させる。バンドカッタ１０は、その先端部を凹所６に位置決めされたタイバンド３の頭部３ａに当接させた状態のもと、帯部３ｂの先端部であって同頭部３ａから突出した部分を把持しつつ、その部分を所定長さの切り代Ｌ１を残して切除できるようになっている。
【００３０】
帯部３ｂの先端部であって頭部３ａから突出した部分を上述したように切除する際には、脚部９が凹所６に対応する位置に至るまで変位するよう弾性変形させられるため、上記脚部９が帯部３ｂの切除にとって邪魔になることを抑制できる。また、帯部３ｂの先端部を切除した後には、脚部９が自身の弾性によって図６に示されるように元の位置に戻ることにより、その脚部９が凹所６から離れる方向に変位するため、帯部３ｂにおける上記切り代Ｌ１の部分が上記脚部９によって作業者や他の部品と接触しにくくなる。
【００３１】
以上詳述した本実施形態によれば、以下に示す効果が得られるようになる。
（１）タイバンド３の頭部３ａの係合孔８に差し込まれた帯部３ｂの先端部であって同頭部３ａから突出した部分を、所定長さの切り代Ｌ１を残して切除したとき、その切り代Ｌ１の部分が作業者や他の部品と接触することを抑制できる。
【００３２】
（２）脚部９は、凹所６に対する接近離間方向について、その凹所６に対応する位置まで弾性変形することが可能なものとされている。このため、バンドカッタ１０の先端部を脚部９に押し付けて同脚部９を凹所６に対応する位置に至るまで弾性変形させることにより、同バンドカッタ１０の先端部を凹所６に位置決めされたタイバンド３の頭部３ａに当接させることができる。そして、その状態で上記バンドカッタ１０を用いて、帯部３ｂの先端部であって同頭部３ａから突出した部分を所定長さの切り代Ｌ１を残して切除することができる。従って、そうした帯部３ｂの先端部の切除がバンドカッタ１０を用いて簡単に行われるようになる。
【００３３】
（３）帯部３ｂにおける先端部の切除を行った後、脚部９が自身の弾性によって元の位置に戻ったとき、その脚部９が、凹所６によって位置決めされたタイバンド３の頭部３ａから突出する帯部３ｂの先端部よりも、凹所６から離れる方向に位置する。このため、帯部３ｂの先端部（切り代Ｌ１の部分）が、上記脚部９によって、より一層作業者や他の部品と接触しにくくなる。
【００３４】
（４）帯部３ｂの先端部（切り代Ｌ１の部分）に対し作業者や他の部品が接触することは、ワイヤハーネス１が延びる方向における上記凹所６の両隣にそれぞれ設けられる脚部９によって抑制される。このため、帯部３ｂの先端部（切り代Ｌ１の部分）に対し作業者や他の部品がより一層接触しにくくなる。
【００３５】
なお、上記実施形態は、例えば以下のように変更することもできる。
・図７に示すように、凹所６の内側面６ａ及び底面６ｂにおけるワイヤハーネス１側の端部に立壁１１を形成し、タイバンド３の頭部３ａを凹所６によって位置決めしたとき、その頭部３ａが上記立壁１１に当接するようにしてもよい。この場合、タイバンド３によってワイヤハーネス１をプロテクタ２に対し固定するとき、詳しくはタイバンド３の帯部３ｂを頭部３ａの係合孔８に挿通して同帯部３ｂでワイヤハーネス１をプロテクタ２に対し締め付けるとき、タイバンド３の頭部３ａがワイヤハーネス１側にずれることを上記立壁１１によって抑制することができる。
【００３６】
・図８に示すように、ワイヤハーネス１が延びる方向における凹所６の両隣にそれぞれ設けられている脚部９が、ワイヤハーネス１の周方向について互いに位置をずらした状態で上記凹所６により位置決めされるタイバンド３の頭部３ａを挟む位置に突出するようにする。更に、それら脚部９における突出方向の先端部同士を、ワイヤハーネス１の延びる方向においてオーバーラップさせるようにする。こうした脚部９を採用することにより、タイバンド３の帯部３ｂの先端部（切り代Ｌ１の部分）に対する作業者や他の部品の接触を、上記脚部９によって一層効果的に抑制することができる。
【００３７】
・図１及び図８に示す脚部９は、ワイヤハーネス１が延びる方向における凹所６の両隣にそれぞれ設けられているが、それら脚部９のうちの一方を省略してもよい。
・帯部３ｂにおける先端部の切除をバンドカッタ１０以外の工具を用いて行うようにしてもよい。
【符号の説明】
【００３８】
１…ワイヤハーネス、２…プロテクタ、３…タイバンド、３ａ…頭部、３ｂ…帯部、４…壁部、５…タイバンド固定部、６…凹所、６ａ…内側面、６ｂ…底面、７…挿通孔、８…係合孔、９…脚部、１０…バンドカッタ、１１…立壁。
【図１】
2020028157.tif 000003
【図２】
2020028157.tif 000004
【図３】
2020028157.tif 000005
【図４】
2020028157.tif 000006
【図５】
2020028157.tif 000007
【図６】
2020028157.tif 000008
【図７】
2020028157.tif 000009
【図８】
2020028157.tif 000010